(57)【要約】【課題】競走馬の馬体重を正確かつ効率的に計測できるようにする。【解決手段】体重測定器１を、ベース２と、このベース２上に上下動自在に取り付けた測定台５と、この測定台５に接触するように取り付けた荷重センサ１０と、前記測定台５の長手方向両側に設けた案内柵１５と、競走馬Ｈを検知するフォトマイクロセンサ１２ａ，１２ｂで構成し、手綱などを牽引して競走馬を案内柵１５間に誘導し、競走馬Ｈがフォトマイクロセンサ１２ａ，１２ｂ間を通過するタイミングで測定台５上の競走馬Ｈの重量を荷重センサ１０で計測する。【選択図】図１
2011052994.tif 000002
【特許請求の範囲】
【請求項１】
計測対象である馬の体重を測定する測定台と、この測定台を上下動自在に案内するガイド機構を介して前記測定台を支持するベースと、前記測定台と接触するように設けた荷重センサと、前記測定台の左右両側に設けた案内柵とを備えた馬体重測定装置であって、前記荷重センサで計測した馬体重を表示するように構成したことを特徴とする馬体重測定装置。
【請求項２】
前記測定台上の踏み板が地面と連続するように、前記測定台を前記ベースに支持し、前記案内柵間に計測対象である馬を誘導し、前記荷重センサによって測定台上の馬体重を計測するように構成したことを特徴とする請求項１記載の馬体重測定装置。
【請求項３】
荷重センサとしてロードセルを用いたことを特徴とする請求項１又は２記載の馬体重測定装置。
【請求項４】
前記測定台上に前記馬が乗り上がった状態で、その馬体を検知する検知手段を設け、この検知手段からの検知信号に基づいて前記荷重センサによって前記測定台上の馬体重を計測するように構成したことを特徴とする請求項１〜３記載の何れか１項に記載の馬体重測定装置。
【発明の詳細な説明】
【技術分野】
【０００１】
本発明は、競走馬などの馬体重を測定する馬体重測定装置に関する。
【背景技術】
【０００２】
従来から養鶏、養豚、養牛などの家畜のほか、動物園の動物など、動物の体重を測定する体重測定器装置として特許文献１には、荷重センサと、その上部に水平に取り付けられ対象動物に応じ所定の大きさを有す計測台と、この計測台の一端縁を除いて計測台をコ字型に囲んだフェンスとで構成され、フェンスの無い開口部分から計測台上に家畜を導いて体重を測定する物の体重測定器が提案されている。
【０００３】
【特許文献１】特開２００３−１１４１４５号公報
【発明の開示】
【発明が解決しようとする課題】
【０００４】
ところで、レースに出走する競走馬の馬体重は、馬の仕上がり具合を見るひとつの目安となるため非常に重要であり、また、出走馬は定められた負担重量を背負わねばならず、レースの約７０分前から馬体重を計量するともに、レース終了直後に７位までの騎手と裁決委員が特に指定した騎手について計測が行なわれ、前検量において計量した重量と後検量において検量した重量の差が１キロを超えた場合には失格となることから、馬体重の計測は非常に重要である。しかし、特許文献１で示す体重測定器装置では、計測台を囲む側面フェンスが一側面を開口したコ字状であり、その側面フェンス内に競走馬を追い込んで計測する場合、競走馬が暴れるなどして、正確に馬体重を計測できない、という課題を有していた。
【０００５】
そこで、本発明は、馬、特に競走馬にストレスを与えることなく、正確、かつ、効率的に馬体重を計測できる測定装置を提供することを目的とする。
【課題を解決するための手段】
【０００６】
請求項１の馬体重測定装置は、計測対象である馬の体重を測定する測定台と、この測定台を上下動自在に案内するガイド機構を介して前記測定台を支持するベースと、前記測定台と接触するように設けた荷重センサと、前記測定台の左右両側に設けた案内柵とを備えた馬体重測定装置であって、前記荷重センサで計測した馬体重を表示するように構成したことを特徴とする。
【０００７】
請求項１の馬体重測定装置によれば、手綱などを牽引して例えば計測対象である競走馬を左右一対の案内柵間に誘導して測定台上を通過させる。これにより、競走馬の重量によって計測台は、ガイド機構によって案内されて降下し、競走馬の重量が荷重センサに加わって馬体重が表示器に表示される。
【０００８】
請求項２の馬体重測定装置は、前記測定台上の踏み板が地面と連続するように、前記測定台を前記ベースに支持し、前記案内柵間に計測対象である競争馬を誘導し、前記荷重センサによって測定台上の馬体重を計測するように構成したことを特徴とする。
【０００９】
請求項２の馬体重測定装置によれば、測定台上の踏み板と地面との段差が解消され、競走馬をスムーズに測定台上へと誘導することができる。
【００１０】
請求項３の馬体重測定装置は、荷重センサとしてロードセルを用いたことを特徴とする。
【００１１】
請求項３の馬体重測定装置によれば、競走馬の重量による歪をロードセルで検知して測定台上の馬体重を正確に計測することが可能となる。
【００１２】
請求項４の馬体重測定装置は、前記測定台上に前記馬が乗り上がった状態で、その馬体を検知する検知手段を設け、この検知手段からの検知信号に基づいて前記荷重センサによって前記測定台上の馬体重を計測するように構成したことを特徴とする。
【００１３】
請求項４の馬体重測定装置によれば、測定台上に馬が完全に乗り上がった状態で検知手段は馬体を検知し、この検知手段の検知信号に基づいて荷重センサによって馬体重を計測する。
【発明の効果】
【００１４】
本発明の馬体重測定装置によれば、両側の案内柵を備えた測定台に計測対象として例えば、競走馬を誘導することによって競走馬の両側の動きが案内柵で制御されているので、安定した状態で計測することができるとともに測定台上の踏み板と地面との段差が解消され、競走馬に与えるストレスを最小限として計測に伴う競走馬の負担を軽減することにより、競走馬が暴れることなく、安定して計測することができる。また、荷重センサによって競走馬の重量を計測するタイミングとして、検知手段で測定台上に馬が完全に乗り上がった状態で検知手段によって馬体を検知し、その検知手段の検知信号が出力された状態で過重センサで馬体重を計測するように構成したことにより、測定台上に乗った競走馬の馬体重を正確に計測することができるとともに、測定台上を通過する複数の競走馬の馬体重を、順次、検知手段で競走馬を検知したタイミングで効率的に計測することができる。
【図面の簡単な説明】
【００１５】
【図１】本発明の一実施例を示す馬体重測定装置の正面図である。
【図２】同上、馬体重測定装置の側面図である。
【図３】同上、馬体重測定装置の平面図である。
【図４】同上、ガイド機構部分を拡大した断面図である。
【図５】同上、荷重センサ部分を拡大した断面図である。
【図６】同上、検知手段を示す平面図である。
【発明を実施するための最良の形態】
【００１６】
以下、本発明の実施例を図１乃至図６を参照して説明する。図１は、本発明の馬体重測定装置の正面図を示しており、同図において、体重測定器１は、ベース２と、このベース２上に上下動自在に取り付けた測定台５と、この測定台５に接触するように取り付けた荷重センサ１０と、前記測定台５の長手方向両側に設けた左右一対の案内柵１５とで構成されている。
【００１７】
ベース２と測定台５は、上下に対を成す同形同大の枠状フレーム３，４から成り、その各枠状フレーム３，４間にアングル材３ａ，４ａを架け渡して補強している。また、ベース２上の測定台５は、前記ベース２の四隅に設けたガイド機構６によって上下動作自在に案内している。ガイド機構６は、図４に示すように、測定台５に四隅に位置して、前記アングル材４ａに固定した軸部７と、アングル材３ａに固定した前記軸部７を摺動自在に案内する筒状のガイド筒８とから成り、ガイド筒８に沿って前記軸部７を上下方向に案内することによってベース２に対して測定台５を案内している。また、測定台５の上面側には、踏み板９が敷設されている。
【００１８】
荷重センサ１０は、前記ベース２と測定台５との間に固定され、測定台５に接触する起歪体にひずみゲージ（何れも図示しない）を装着した公知のロードセルである。なお、本実施例では測定台５のほぼ中央に荷重センサ１０に取り付けているが、計測精度を向上するために、複数、設けた構成であってもよい。
【００１９】
また、ベース２は、測定台５の踏み板９がほぼ地面Ｓと連続するように例えばコンクリートなどの硬い基礎上に設置されている。なお、前記測定台５は計測する競走馬が通過するのに適した外形寸法であって本実施例では、測定台５の幅２１００ｍｍ、長さ３５００ｍｍであり、左右１対の案内柵１５は高さを７７５ｍｍに設定している。
【００２０】
また、図２及び図６に示すように、案内柵１５には、測定台５上の競走馬Ｈを検知するための検知手段たる左右一対のフォトマイクロセンサ１２ａ，１２ｂが取り付けられている。このフォトマイクロセンサ１２ａ，１２ｂは測定台５上に競走馬Ｈが完全に乗り上がった状態で競走馬Ｈを検知するために、本実施例においては、図１において競走馬Ｈの進行方向ａに向かって前方２本目に位置する案内柵１５の竪杆１５ａにそれぞれ取り付けられており、投光用のフォトマイクロセンサ１２ａと受光用のフォトマイクロセンサ１２ｂから成る。そして、各フォトマイクロセンサ１２間を競走馬Ｈが通過することによって、投光用のフォトマイクロセンサ１２ａから照射される光を競走馬Ｈが遮ることで競走馬Ｈを検知する。このフォトマイクロセンサ１２ａ，１２ｂの検知信号に基づいて前記荷重センサ１０が競走馬Ｈの馬体重を計測する。
【００２１】
以上のように構成される本実施例は、例えば、競馬場の計測施設などに設置し、手綱などを牽引して競走馬Ｈを左右一対の案内柵１５間に誘導する。そして、誘導した競走馬Ｈが前方２本目に位置する竪杆１５ａを通過すると、投光用のフォトマイクロセンサ１２の光が遮られ、このフォトマイクロセンサ１２の検知信号に基づいて前記荷重センサ１０が競走馬Ｈの馬体重を計測する。この時、競走馬Ｈは、案内柵１５により、両側の動きが制御されているので、安定した状態で計測することができる。また、案内柵１５で競走馬Ｈの進行を妨げることがないとともに、測定台５上の踏み板９と地面Ｓとの段差が解消され、測定台５上へと競走馬Ｈをスムーズに導くことができるから、競走馬Ｈに与えるストレスも少く、競走馬Ｈが暴れることなく安定した状態で馬体重を計測することができる。さらに、競走馬Ｈの重量によって計測台５は、この測定台５側に固定した軸部７がベース２側に設けたガイド筒８に沿って安定的に降下し、競走馬Ｈの重量が荷重センサ１０に加わって重量値が図示しない表示器に表示される。また、荷重センサ１０によって競走馬Ｈの重量を計測するタイミングとして、フォトマイクロセンサ１２ａ，１２ｂで競走馬Ｈを検知したタイミングで計測することにより、測定台５上に競走馬Ｈが完全に乗り上がった状態で馬体重を計測することが可能であり、測定台５上に競走馬Ｈが不完全な状態で乗った状態で馬体重を計測することがないため、正確に馬体重を計測することができる。さらに、１頭の競走馬Ｈがフォトマイクロセンサ１２ａ，１２ｂ間まで誘導されない限り、荷重センサ１０で馬体重を計測することがないため、測定台５上を複数の競走馬Ｈが順次、通過しても、１頭の馬体重のみを正確かつ効率的に計測することができる。
【００２２】
以上のように、本実施例においては、両側の案内柵１５を備えた通路状の測定台５上に競走馬Ｈを誘導して計測に伴う競走馬Ｈの負担を軽減でき、計測時においる競走馬Ｈに与えるストレスを最小限にでき、競走馬Ｈが暴れることなく、安定して計測することができる。また、測定台５上の競走馬Ｈの重量をフォトマイクロセンサ１２ａ，１２ｂで競走馬Ｈを検知したタイミングで荷重センサ１０によって正確かつ容易に計測することができる。
【符号の説明】
【００２３】
１  体重測定器
２  ベース
５  測定台
６  ガイド機構
７  軸部
８  ガイド筒
１０  荷重センサ
１２ａ，１２ｂ  フォトマイクロセンサ（検知手段）
１５  案内柵
【図１】
2011052994.tif 000003
【図２】
2011052994.tif 000004
【図３】
2011052994.tif 000005
【図４】
2011052994.tif 000006
【図５】
2011052994.tif 000007
【図６】
2011052994.tif 000008